(57)【要約】【課題】ノイズの影響よりタッチ操作ができなくなる事態の発生を防止する。【解決手段】タッチ位置検出部１００は、タッチセンサから出力される信号に基づいて、ユーザのタッチ位置を検出する。変更指示受付部１０２は、タッチ位置検出部１００における検出感度の変更指示をユーザから受け付ける。感度変更部１０３は、変更指示に基づいて、検出感度を変更する。感度変更部１０３は、変更指示が感度を高くする変更を示す場合、検出感度を変更指示で示される感度に設定し、その後、タッチ位置検出部１００の検出結果に基づいてノイズの検出有無をチェックするノイズチェックを開始し、予め定めた時間が経過するまでにノイズが検出されなかった場合、前記検出感度を前記変更指示で示される感度に設定したままとする。【選択図】図２
2020113305.tif 000002
【特許請求の範囲】
【請求項１】
ユーザのタッチ操作を受け付けるタッチセンサと、
前記タッチセンサから出力される信号に基づいて、前記ユーザのタッチ位置を検出するタッチ位置検出手段と、
前記タッチ位置検出手段における検出感度の変更指示を前記ユーザから受け付ける変更指示受付手段と、
前記変更指示に基づいて、前記検出感度を変更する感度変更手段と、を備え、
前記感度変更手段は、前記変更指示が感度を高くする変更を示す場合、前記検出感度を前記変更指示で示される感度に設定し、その後、前記タッチ位置検出手段の検出結果に基づいてノイズの検出有無をチェックするノイズチェックを開始し、予め定めた時間が経過するまでにノイズが検出されなかった場合、前記検出感度を前記変更指示で示される感度に設定したままとする、タッチセンサ装置。
【請求項２】
前記検出感度の変更に関する情報を前記ユーザに通知する通知手段をさらに備える、請求項１に記載のタッチセンサ装置。
【請求項３】
前記通知手段は、前記ノイズチェックによりノイズが検出された場合、その旨を前記ユーザに通知する、請求項２に記載のタッチセンサ装置。
【請求項４】
前記通知手段は、前記ノイズチェックによりノイズが検出された場合、その旨を前記ユーザに通知すると共に、前記検出感度の変更に対する認否を前記ユーザに問い合わせ、
前記感度変更手段は、前記ユーザが前記検出感度の変更を認めた場合、前記検出感度を前記変更直前の感度に戻さない、請求項２に記載のタッチセンサ装置。
【請求項５】
前記通知手段は、前記変更指示が感度を高くする変更を示す場合、一時的にタッチ操作が禁止されることを前記ユーザに通知する、請求項２から４の何れか１項に記載のタッチセンサ装置。
【請求項６】
環境センサと、
前記環境センサの計測結果に基づいて、人の存否を検出する人検出手段と、をさらに備え、
前記感度変更手段は、前記変更指示が感度を高くする変更を示す場合、前記検出感度を前記変更指示で示される感度に設定し、その後、前記人検出手段により人の不在が検出されると、前記ノイズチェックを開始する、請求項１から４の何れか１項に記載のタッチセンサ装置。
【請求項７】
前記通知手段は、前記変更指示が感度を高くする変更を示す場合、前記タッチセンサから離れる必要があることを前記ユーザに通知する、請求項２から４の何れか１項に記載のタッチセンサ装置。
【請求項８】
前記感度変更手段は、前記ノイズチェックを開始した後、前記人検出手段により人の存在が検出されると、前記ノイズチェックを中止し、前記検出感度を前記変更直前の感度に戻す、請求項６に記載のタッチセンサ装置。
【請求項９】
前記感度変更手段は、前記ノイズチェックを開始した後、前記人検出手段により人の存在が検出されると、前記ノイズチェックを中断し、その後、前記人検出手段により人の不在が検出されると、前記ノイズチェックを再開する、請求項６に記載のタッチセンサ装置。
【請求項１０】
ユーザのタッチ操作を受け付けるタッチセンサと、
前記タッチセンサから出力される信号に基づいて、前記ユーザのタッチ位置を検出するタッチ位置検出手段と、
前記タッチ位置検出手段における検出感度の変更指示を前記ユーザから受け付ける変更指示受付手段と、
前記変更指示に基づいて、前記検出感度を変更する感度変更手段と、を備え、
前記感度変更手段は、前記変更指示が感度を高くする変更を示す場合、前記検出感度を前記変更指示で示される感度に設定し、その後、予め定めた時間が経過するまでに前記タッチ位置検出手段により前記タッチ位置が検出されなかった場合、前記検出感度を前記変更指示で示される感度に設定したままとする、タッチセンサ装置。
【請求項１１】
前記検出感度の変更に関する情報を前記ユーザに通知する通知手段をさらに備える、請求項１０に記載のタッチセンサ装置。
【請求項１２】
前記通知手段は、前記予め定めた時間が経過するまでに前記タッチ位置が検出された場合、その旨を前記ユーザに通知する、請求項１１に記載のタッチセンサ装置。
【請求項１３】
前記通知手段は、前記予め定めた時間が経過するまでに前記タッチ位置が検出された場合、その旨を前記ユーザに通知すると共に、前記検出感度の変更に対する認否を前記ユーザに問い合わせ、
前記感度変更手段は、前記ユーザが前記検出感度の変更を認めた場合、前記検出感度を前記変更直前の感度に戻さない、請求項１１に記載のタッチセンサ装置。
【請求項１４】
前記通知手段は、前記変更指示が感度を高くする変更を示す場合、一時的にタッチ操作が禁止されることを前記ユーザに通知する、請求項１１から１３の何れか１項に記載のタッチセンサ装置。
【請求項１５】
環境センサと、
前記環境センサの計測結果に基づいて、人の存否を検出する人検出手段と、をさらに備え、
前記感度変更手段は、前記変更指示が感度を高くする変更を示す場合、前記検出感度を前記変更指示で示される感度に設定し、その後、前記人検出手段により人の不在が検出されると、前記タッチ位置が検出されたか否かのチェックを開始する、請求項１０から１３の何れか１項に記載のタッチセンサ装置。
【請求項１６】
前記通知手段は、前記変更指示が感度を高くする変更を示す場合、前記タッチセンサから離れる必要があることを前記ユーザに通知する、請求項１１から１３の何れか１項に記載のタッチセンサ装置。
【請求項１７】
前記感度変更手段は、前記チェックを開始した後、前記人検出手段により人の存在が検出されると、前記チェックを中止し、前記検出感度を前記変更直前の感度に戻す、請求項１５に記載のタッチセンサ装置。
【請求項１８】
前記感度変更手段は、前記チェックを開始した後、前記人検出手段により人の存在が検出されると、前記チェックを中断し、その後、前記人検出手段により人の不在が検出されると、前記チェックを再開する、請求項１５に記載のタッチセンサ装置。
【請求項１９】
タッチセンサから出力される信号に基づいてユーザのタッチ位置を検出する際の検出感度の変更指示を前記ユーザから受け付け、
前記変更指示が感度を高くする変更を示す場合、前記検出感度を前記変更指示で示される感度に設定し、その後、予め定めた時間が経過するまでに前記タッチ位置が検出されなかった場合、前記検出感度を前記変更指示で示される感度に設定したままとする、タッチ操作検出感度変更方法。
【請求項２０】
ユーザのタッチ操作を受け付けるタッチセンサを備えるコンピュータを、
前記タッチセンサから出力される信号に基づいて、前記ユーザのタッチ位置を検出するタッチ位置検出手段、
前記タッチ位置検出手段における検出感度の変更指示を前記ユーザから受け付ける変更指示受付手段、
前記変更指示に基づいて、前記検出感度を変更する感度変更手段、として機能させ、
前記感度変更手段は、前記変更指示が感度を高くする変更を示す場合、前記検出感度を前記変更指示で示される感度に設定し、その後、予め定めた時間が経過するまでに前記タッチ位置検出手段によって前記タッチ位置が検出されなかった場合、前記検出感度を前記変更指示で示される感度に設定したままとする、プログラム。
【発明の詳細な説明】
【技術分野】
【０００１】
本発明は、タッチセンサ装置、タッチ操作検出感度変更方法及びプログラムに関する。
【背景技術】
【０００２】
近年、空調機器、照明機器、工作機器等に使用されるリモコンにおいて、静電容量方式のタッチセンサを備えるものが普及している。
【０００３】
静電容量方式のタッチセンサの場合、素手の状態と手袋を着用した状態とでは、ユーザがタッチした際の静電容量の変化が大きく異なる。このため、上記のリモコン等においては、素手によるタッチのみを検出するように製品の出荷前に調整されているのが一般的である。
【０００４】
これに対し、特許文献１には、検出感度を高感度から低感度へ変化させながら操作入力を検出することで、ユーザが素手の状態又は手袋を着用した状態の何れであってもタッチの検出を可能にする技術が開示されている。
【先行技術文献】
【特許文献】
【０００５】
【特許文献１】特開２００７−２７０３４号公報
【発明の概要】
【発明が解決しようとする課題】
【０００６】
しかしながら、特許文献１に開示される技術では、周囲のノイズの影響により、ユーザがタッチしていないにもかかわらず操作入力したと誤検出され、検出感度が高感度に固定されてしまい、以降のタッチ操作がノイズの影響で正常にできなくなってしまうという懸念がある。
【０００７】
本発明は、上記課題を解決するためになされたものであり、ユーザによる検出感度の変更を可能にしつつ、ノイズの影響によりタッチ操作ができなくなる事態の発生を防止するタッチセンサ装置等を提供することを目的とする。
【課題を解決するための手段】
【０００８】
上記目的を達成するため、本発明に係るタッチセンサ装置は、
ユーザのタッチ操作を受け付けるタッチセンサと、
前記タッチセンサから出力される信号に基づいて、前記ユーザのタッチ位置を検出するタッチ位置検出手段と、
前記タッチ位置検出手段における検出感度の変更指示を前記ユーザから受け付ける変更指示受付手段と、
前記変更指示に基づいて、前記検出感度を変更する感度変更手段と、を備え、
前記感度変更手段は、前記変更指示が感度を高くする変更を示す場合、前記検出感度を前記変更指示で示される感度に設定し、その後、前記タッチ位置検出手段の検出結果に基づいてノイズの検出有無をチェックするノイズチェックを開始し、予め定めた時間が経過するまでにノイズが検出されなかった場合、前記検出感度を前記変更指示で示される感度に設定したままとする。
【発明の効果】
【０００９】
本発明によれば、ノイズの影響よりタッチ操作ができなくなる事態の発生を防止することが可能となる。
【図面の簡単な説明】
【００１０】
【図１】本発明の実施の形態１に係るタッチセンサ装置のハードウェア構成を示すブロック図
【図２】実施の形態１のタッチセンサ装置の機能構成を示す図
【図３】実施の形態１において、タッチパネルから出力される、タッチの態様ごとの信号のレベルを示す図
【図４】実施の形態１におけるメイン設定画面の一例を示す図
【図５】実施の形態１における感度設定画面の一例を示す図
【図６】実施の形態１における変更完了画面の一例を示す図
【図７】実施の形態１におけるノイズチェック報知画面の一例を示す図
【図８】実施の形態１におけるノイズ検出報知画面の一例を示す図
【図９】実施の形態１における感度変更処理の手順を示すフローチャート
【図１０】実施の形態１の感度変更処理の変形例における変更問合せ画面の一例を示す図
【図１１】実施の形態１の感度変更処理の変形例における変更キャンセル画面の一例を示す図
【図１２】実施の形態１における感度設定画面の変形例を示す図
【図１３】実施の形態１における感度設定画面の他の変形例を示す図
【図１４】本発明の実施の形態２に係るタッチセンサ装置のハードウェア構成を示すブロック図
【図１５】実施の形態２のタッチセンサ装置の機能構成を示す図
【図１６】実施の形態２におけるノイズチェック報知画面の一例を示す図
【図１７】実施の形態２における中断報知画面の一例を示す図
【図１８】実施の形態２における感度変更処理の手順を示すフローチャート（その１）
【図１９】実施の形態２における感度変更処理の手順を示すフローチャート（その２）
【図２０】実施の形態２の感度変更処理の変形例におけるノイズチェック中止画面の一例を示す図
【発明を実施するための形態】
【００１１】
以下、本発明の実施の形態について図面を参照して詳細に説明する。
【００１２】
（実施の形態１）
図１は、本発明の実施の形態１に係るタッチセンサ装置１のハードウェア構成を示す図である。タッチセンサ装置１は、例えば、空調機器、照明機器、工作機器等の機器に対する操作をユーザから受け付けるリモコンである。図１に示すように、タッチセンサ装置１は、ディスプレイ１０と、タッチパネル１１と、プロセッサ１２と、ＲＯＭ（Read Only Memory）１３と、ＲＡＭ（Random Access Memory）１４と、二次記憶装置１５とを備える。これらの構成部は、バス１６を介して相互に接続される。
【００１３】
ディスプレイ１０は、有機ＥＬディスプレイ、液晶ディスプレイ等の表示デバイスを含んで構成される。ディスプレイ１０は、プロセッサ１２の制御の下、ユーザからタッチパネルの設定を受け付けるための設定画面、ユーザから操作対象の図示しない機器に対する操作を受け付けるための操作画面、当該機器の状態をモニタするためのモニタ画面等を表示する。
【００１４】
タッチパネル１１は、本発明に係るタッチセンサの一例である。タッチパネル１１は、静電容量方式のタッチパネルであり、ディスプレイ１０の表示画面上に重ねて配置され、操作者であるユーザが操作入力すると、その操作内容に応じた信号をプロセッサ１２に送出する。
【００１５】
プロセッサ１２は、当該タッチセンサ装置１を統括的に制御する。ＲＯＭ１３は、複数のファームウェア及びこれらのファームウェアの実行時に使用されるデータを記憶する。ＲＡＭ１４は、プロセッサ１２の作業領域として使用される。
【００１６】
二次記憶装置１５は、ＥＥＰＲＯＭ（Electrically Erasable Programmable Read-Only Memory）、フラッシュメモリ等の読み書き可能な不揮発性の半導体メモリを含んで構成される。二次記憶装置１５には、当該タッチセンサ装置１の動作に係るプログラムと、このプログラムの実行時に使用されるデータとが記憶される。
【００１７】
タッチセンサ装置１は、機能的には、図２に示すように、タッチ位置検出部１００と、操作処理部１０１と、変更指示受付部１０２と、感度変更部１０３と、通知部１０４とを備える。これらの機能部は、プロセッサ１２が二次記憶装置１５に記憶されている上記のプログラムを実行することで実現される。
【００１８】
タッチ位置検出部１００は、本発明に係るタッチ位置検出手段の一例である。タッチ位置検出部１００は、タッチパネル１１から出力される信号（以下、パネル出力信号という。）に基づいて、ユーザのタッチパネル１１に対するタッチの有無を判別し、タッチされたと判別した場合にはその位置を検出する。タッチ位置検出部１００は、予めユーザにより設定された検出感度に対応する閾値とパネル出力信号のレベルとを比較し、パネル出力信号のレベルが当該閾値より大きい場合、ユーザがタッチしたと判別する。
【００１９】
図３は、タッチの態様ごとのパネル出力信号のレベルを示す図である。タッチパネル１１において、素手でタッチされた際のパネル出力信号のレベルは、手袋を着用した状態でタッチされた際のパネル出力信号のレベル、及び、ノイズによるパネル出力信号のレベルよりも大きい。手袋を着用した状態でタッチされた際のパネル出力信号のレベルは、当該手袋の材質、厚さ等に依存する。また、ノイズによるパネル出力信号のレベルは、ノイズの種類によって変動する。以上のことは、一般的な静電容量方式のタッチセンサにも当てはまる。
【００２０】
図３において、縦軸のＴＨ１〜ＴＨ４は、タッチ位置検出部１００の検出感度に対応する閾値である。本実施の形態では、検出感度は、感度１〜４の何れかに設定され、感度１にはＴＨ１が対応し、感度２にはＴＨ２が対応し、感度３にはＴＨ３が対応し、感度４にはＴＨ４が対応する。検出感度が感度１に設定された場合、タッチ位置検出部１００は、パネル出力信号のレベルがＴＨ１より大きい場合にユーザがタッチしたと判別するため、素手によるタッチ操作のみが有効となる。この場合、タッチ位置検出部１００の検出感度は最も低くなり、ノイズの影響を確実に排除できるというメリットがある反面、手袋を着用した状態のタッチ操作を受け付けることができないというデメリットがある。
【００２１】
また、検出感度が感度３に設定された場合、タッチ位置検出部１００は、パネル出力信号のレベルがＴＨ３より大きい場合にユーザがタッチしたと判別する。このため、素手のみならず、手袋を着用した状態でのタッチ操作も有効となる反面、ノイズをユーザのタッチと誤検出してしまうリスクが高まることになる。
【００２２】
図２に戻り、操作処理部１０１は、タッチ位置検出部１００によって検出されたタッチ位置に基づいて、ユーザによる通常時の操作内容を判別し、判別した操作内容に従った処理を実行する。例えば、操作処理部１０１は、ユーザの操作内容に従って操作対象の機器を制御する。
【００２３】
変更指示受付部１０２は、本発明に係る変更指示受付手段の一例である。変更指示受付部１０２は、タッチ位置検出部１００における検出感度の変更指示をユーザから受け付ける。タッチセンサ装置１は、ユーザにより、当該タッチセンサ装置１の設定の変更に関する操作を受け付けると、図４に示すようなメイン設定画面をディスプレイ１０に表示する。かかるメイン設定画面にて、ユーザによりタッチ感度ボタンが押下操作されると、変更指示受付部１０２は、図５に示す感度設定画面をディスプレイ１０に表示する。
【００２４】
図５に示すように、感度設定画面には、感度１〜４のそれぞれに対応するボタン（感度１〜４ボタン）が配置され、ユーザは、所望の感度に対応するボタンを押下操作することで、検出感度の変更を指示することができる。なお、現在の検出感度が感度１〜４の何れであるかが判るように、感度設定画面において、現在の検出感度に対応するボタンは、予め定めた態様で強調表示される。
【００２５】
感度設定画面において、ユーザにより感度１〜４ボタンの何れかが押下操作されると、変更指示受付部１０２は、当該押下操作されたボタンに対応する感度、即ち、ユーザが選択した感度を感度変更部１０３に通知する。
【００２６】
感度変更部１０３は、本発明に係る感度変更手段の一例である。感度変更部１０３は、タッチ位置検出部１００の検出感度を、変更指示受付部１０２から通知された感度に設定変更する。以下、感度変更部１０３による検出感度の変更の手法について詳細に説明する。
【００２７】
＜＜検出感度を低くする変更の場合＞＞
変更指示受付部１０２から通知された感度が、現在の検出感度より低い場合、感度変更部１０３は、検出感度を当該通知された感度に設定し、変更の完了を示す情報（以下、変更完了情報という。）を通知部１０４に供給する。変更完了情報には、変更前後それぞれの検出感度を示す情報が含まれている。
【００２８】
＜＜検出感度を高くする変更の場合＞＞
変更指示受付部１０２から通知された感度が、現在の検出感度より高い場合、感度変更部１０３は、検出感度を当該通知された感度に設定し、ノイズチェックの開始を示す情報（以下、ノイズチェック開始情報という。）を通知部１０４に供給すると共に、ノイズチェックを開始する。ノイズチェック開始情報には、変更前後それぞれの検出感度を示す情報が含まれている。
【００２９】
ノイズチェックでは、感度変更部１０３は、タッチ位置検出部１００の検出結果に基づいてノイズの検出有無をチェックする。詳細には、感度変更部１０３は、タッチ位置検出部１００によってユーザのタッチ位置が検出されたか否かをチェックする。予め定めたノイズチェック時間が経過する前に、ユーザのタッチ位置が検出された場合、即ち、ユーザがタッチしたとタッチ位置検出部１００により判別された場合、感度変更部１０３は、ノイズが検出されたとみなし、検出感度を変更直前の感度に戻す。また、感度変更部１０３は、ノイズが検出されたことを示す情報（以下、ノイズ検出情報という。）を通知部１０４に供給する。
【００３０】
一方、ノイズチェック時間内にタッチ位置検出部１００によってユーザのタッチ位置が検出されなかった場合、感度変更部１０３は、変更完了情報を通知部１０４に通知する。
【００３１】
図２に戻り、通知部１０４は、本発明に係る通知手段の一例であり、感度変更部１０３による検出感度の変更に関する情報をユーザに通知する。詳細には、感度変更部１０３から変更完了情報の供給を受けると、通知部１０４は、図６に示す変更完了画面をディスプレイ１０に表示して、検出感度の変更が完了したことをユーザに通知する。
【００３２】
また、感度変更部１０３からノイズチェック開始情報の供給を受けると、通知部１０４は、図７に示すノイズチェック報知画面をディスプレイ１０に表示して、ノイズチェック中であること、一時的にタッチ操作が禁止されること等をユーザに通知する。これにより、ノイズチェック中にユーザがタッチパネル１１にタッチして、ノイズを誤検出してしまうことの防止が図れる。
【００３３】
また、感度変更部１０３からノイズ検出情報の供給を受けると、通知部１０４は、図８に示すノイズ検出報知画面をディスプレイ１０に表示して、ノイズが検出されたこと、検出感度の変更ができないこと等をユーザに通知する。
【００３４】
図９は、タッチセンサ装置１によって実行される感度変更処理の手順を示すフローチャートである。感度変更処理は、図４に示すメイン設定画面にて、ユーザによりタッチ感度ボタンが押下操作されることで開始される。
【００３５】
変更指示受付部１０２は、感度設定画面（図５参照）をディスプレイ１０に表示する（ステップＳ１０１）。感度設定画面を介してユーザにより感度の変更を指示する操作がされた場合（ステップＳ１０２；ＹＥＳ）、感度変更部１０３は、検出感度をユーザが指示した感度に設定する（ステップＳ１０３）。
【００３６】
感度を低くする変更の場合（ステップＳ１０４；ＹＥＳ）、通知部１０４は、変更完了画面（図６参照）をディスプレイ１０に表示して（ステップＳ１０５）、検出感度の変更が完了したことをユーザに通知する。これにより感度変更処理は終了する。
【００３７】
一方、感度を高くする変更の場合（ステップＳ１０４；ＮＯ）、通知部１０４は、ノイズチェック報知画面（図７参照）をディスプレイ１０に表示して（ステップＳ１０６）、ノイズチェック中であること及びタッチ操作が禁止されることをユーザに通知する。また、感度変更部１０３は、ノイズチェックを開始する（ステップＳ１０７）。
【００３８】
ノイズが検出されず（ステップＳ１０８；ＮＯ）、ノイズチェックの開始時からの経過時間がノイズチェック時間に達した場合（ステップＳ１０９；ＹＥＳ）、感度変更部１０３は、ノイズチェックを終了する（ステップＳ１１０）。また、通知部１０４は、変更完了画面をディスプレイ１０に表示して（ステップＳ１０５）、検出感度の変更が完了したことをユーザに通知する。これにより感度変更処理は終了する。
【００３９】
ノイズが検出されず（ステップＳ１０８；ＮＯ）、ノイズチェックの開始時からの経過時間がノイズチェック時間に達していない場合（ステップＳ１０９；ＮＯ）、タッチセンサ装置１の処理は、ステップＳ１０８に戻る。
【００４０】
ノイズが検出された場合（ステップＳ１０８；ＹＥＳ）、感度変更部１０３は、ノイズチェックを終了し（ステップＳ１１１）、検出感度を変更前の感度に戻す（ステップＳ１１２）。また、通知部１０４は、ノイズ検出報知画面（図８参照）をディスプレイ１０に表示して（ステップＳ１１３）、ノイズが検出されたこと及び検出感度の変更ができないことをユーザに通知する。これにより感度変更処理は終了する。
【００４１】
以上説明したように、実施の形態１に係るタッチセンサ装置１は、ユーザから検出感度を高くする変更指示を受けると、検出感度を当該変更指示に基づく感度に設定し、ノイズチェックを実行する。そして、ノイズが検出されると、タッチセンサ装置１は、検出感度を変更前の感度に戻す。このため、ノイズの影響によりタッチ操作ができなくなる事態の発生を防止できる。
【００４２】
また、タッチセンサ装置１は、検出感度の変更に関する情報をユーザに通知するため、ユーザは、検出感度の変更の状況を容易に把握できる。
【００４３】
なお、通知部１０４は、ノイズチェック時においてノイズが検出された場合（図９のＳ１０８；ＹＥＳ）、直ちに検出感度を変更前の感度に戻すのではなく、図１０に示す変更問合せ画面をディスプレイ１０に表示して、ユーザに変更の認否を問い合わせるようにしてもよい。そして、変更問合せ画面において、ユーザがＯＫボタンを押下操作した場合、即ち、ユーザが変更を認めた場合、感度変更部１０３は、検出感度を変更前の感度に戻さず、変更完了画面を表示し、一方、ユーザがキャンセルボタンを押下操作した場合、即ち、ユーザが変更を認めない場合、検出感度を変更前の感度に戻す仕様であってもよい。変更問合せ画面においてユーザがキャンセルボタンを押下操作した場合、通知部１０４は、図１１に示す変更キャンセル画面をディスプレイ１０に表示して、ユーザに変更がキャンセルされたことを通知してもよい。
【００４４】
あるいは、通知部１０４は、ノイズチェック時においてノイズが検出された場合（図９のＳ１０８；ＹＥＳ）、検出感度を変更前の感度に戻し、その後に図１０に示す変更問合せ画面をディスプレイ１０に表示して、ユーザに変更の認否を問い合わせるようにしてもよい。この場合、変更問合せ画面において、ユーザがＯＫボタンを押下操作すると、感度変更部１０３は、検出感度をユーザが指示した感度に設定する。
【００４５】
また、図５に示す感度設定画面に替えて、変更指示受付部１０２は、図１２に示すような感度設定画面をディスプレイ１０に表示し、ユーザは、現在の感度に対して、予め定めた値分高くするか、低くするかを選択することで変更を指示できるようにしてもよい。あるいは、変更指示受付部１０２は、図１３に示すような感度設定画面をディスプレイ１０に表示し、ユーザは、シンボルをスライド操作することで、感度を連続的に選択できるようにしてもよい。
【００４６】
また、通知部１０４は、検出感度の変更に関する情報を、ＬＥＤ等の発光体の点灯及び／又は点滅でユーザに通知してもよいし、電子音、音声等の音でユーザに通知してもよいし、あるいは、画面の表示と、発光体の点灯及び／又は点滅と、電子音、音声等の音とを適宜組合せてユーザに通知してもよい。
【００４７】
（実施の形態２）
続いて、本発明の実施の形態２について説明する。なお、以下の説明において、実施の形態１と共通する構成要素等については、同一の符号を付し、その説明を省略する。
【００４８】
図１４は、本発明の実施の形態２に係るタッチセンサ装置１Ａのハードウェア構成を示す図である。タッチセンサ装置１Ａは、ディスプレイ１０と、タッチパネル１１と、プロセッサ１２と、ＲＯＭ１３と、ＲＡＭ１４と、二次記憶装置１５と、環境センサ１７とを備える。これらの構成部は、バス１６を介して相互に接続される。
【００４９】
環境センサ１７は、本発明に係る環境センサの一例である。環境センサ１７は、例えば、赤外線センサ、超音波センサ、照度センサ等、タッチセンサ装置１Ａの周囲の環境を示す予め定めた物理量を計測するセンサである。
【００５０】
タッチセンサ装置１Ａは、機能的には、図１５に示すように、タッチ位置検出部１００と、操作処理部１０１と、変更指示受付部１０２と、感度変更部１０３Ａと、通知部１０４Ａと、人検出部１０５とを備える。これらの機能部は、プロセッサ１２が二次記憶装置１５に記憶されている、当該タッチセンサ装置１Ａの動作に係るプログラムを実行することで実現される。
【００５１】
人検出部１０５は、本発明に係る人検出手段の一例である。人検出部１０５は、環境センサ１７の計測結果に基づいて、タッチセンサ装置１Ａの周囲、例えば、タッチセンサ装置１Ａから０．５ｍの範囲内における人の存否を検出する。
【００５２】
感度変更部１０３Ａは、本発明に係る感度変更手段の一例である。感度変更部１０３Ａは、実施の形態１の感度変更部１０３と同様、タッチ位置検出部１００の検出感度を、変更指示受付部１０２から通知された感度に変更する。以下、感度変更部１０３Ａによる検出感度の変更の手法について詳細に説明する。
【００５３】
＜＜検出感度を低くする変更の場合＞＞
変更指示受付部１０２から通知された感度が、現在の検出感度より低い場合、感度変更部１０３Ａは、検出感度を当該通知された感度に設定し、実施の形態１と同様の変更完了情報を通知部１０４Ａに供給する。
【００５４】
＜＜検出感度を高くする変更の場合＞＞
変更指示受付部１０２から通知された感度が、現在の検出感度より高い場合、感度変更部１０３Ａは、検出感度を当該通知された感度に設定し、実施の形態１と同様のノイズチェック開始情報を通知部１０４Ａに供給すると共に、人不在チェックを開始する。
【００５５】
人不在チェックでは、感度変更部１０３Ａは、人検出部１０５によって人の不在が検出されたか否かをチェックする。人検出部１０５によって人の不在が検出された場合、感度変更部１０３Ａは、ノイズチェックを開始する。本実施の形態のノイズチェックでは、実施の形態１のノイズチェックと同様、ノイズチェック時間が経過する前に、タッチ位置検出部１００によりユーザのタッチ位置が検出された場合、感度変更部１０３Ａは、ノイズが検出されたとみなし、検出感度を変更前の感度に戻す。また、感度変更部１０３Ａは、実施の形態１と同様のノイズ検出情報を通知部１０４Ａに供給する。
【００５６】
本実施の形態のノイズチェックでは、さらに、人検出部１０５によって人の存在が検出されたか否かをチェックし、ノイズチェック時間が経過する前に、人の存在が検出された場合、感度変更部１０３Ａは、ノイズチェックを中断すると共に、ノイズチェックを中断したことを示す情報（以下、ノイズチェック中断情報という。）を通知部１０４Ａに供給する。ノイズチェックの中断時に、人検出部１０５によって人の不在が検出されると、感度変更部１０３Ａは、ノイズチェックを再開する。この際、ノイズチェック時間の計測は、リスタートされる。
【００５７】
ノイズチェック時間内にタッチ位置検出部１００によってユーザのタッチ位置が検出されなかった場合、感度変更部１０３Ａは、変更完了情報を通知部１０４Ａに通知する。
【００５８】
通知部１０４Ａは、本発明に係る通知手段の一例であり、感度変更部１０３Ａによる検出感度の変更に関する情報をユーザに通知する。詳細には、感度変更部１０３Ａから変更完了情報の供給を受けると、通知部１０４Ａは、変更完了画面（図６参照）をディスプレイ１０に表示して、検出感度の変更が完了したことをユーザに通知する。
【００５９】
また、感度変更部１０３Ａからノイズチェック開始情報の供給を受けると、通知部１０４Ａは、図１６に示すノイズチェック報知画面をディスプレイ１０に表示して、ノイズチェックが実行されること、当該タッチセンサ装置１Ａから少し離れる必要があること等をユーザに通知する。
【００６０】
また、感度変更部１０３Ａからノイズ検出情報の供給を受けると、通知部１０４Ａは、ノイズ検出報知画面（図８参照）をディスプレイ１０に表示して、ノイズが検出されたこと、検出感度の変更ができないこと等をユーザに通知する。
【００６１】
また、感度変更部１０３Ａからノイズチェック中断情報の供給を受けると、通知部１０４Ａは、図１７に示す中断報知画面をディスプレイ１０に表示して、ノイズチェックが中断されていること、当該タッチセンサ装置１Ａから少し離れる必要があること等をユーザに通知する。
【００６２】
図１８，１９は、タッチセンサ装置１Ａによって実行される感度変更処理の手順を示すフローチャートである。当該感度変更処理は、実施の形態１と同様、図４に示すメイン設定画面にて、ユーザによりタッチ感度ボタンが押下操作されることで開始される。
【００６３】
変更指示受付部１０２は、感度設定画面（図５参照）をディスプレイ１０に表示する（ステップＳ２０１）。感度設定画面を介してユーザにより感度の変更を指示する操作がされた場合（ステップＳ２０２；ＹＥＳ）、感度変更部１０３Ａは、検出感度をユーザが指示した感度に設定する（ステップＳ２０３）。
【００６４】
感度を低くする変更の場合（ステップＳ２０４；ＹＥＳ）、通知部１０４Ａは、変更完了画面（図６参照）をディスプレイ１０に表示して（ステップＳ２０５）、検出感度の変更が完了したことをユーザに通知する。これにより感度変更処理は終了する。
【００６５】
一方、感度を高くする変更の場合（ステップＳ２０４；ＮＯ）、通知部１０４Ａは、ノイズチェック報知画面（図１６参照）をディスプレイ１０に表示して（ステップＳ２０６）、ノイズチェックを開始すること及びリモコン（即ち、当該タッチセンサ装置１Ａ）から少し離れる必要があることをユーザに通知する。また、感度変更部１０３Ａは、人検出部１０５によって人の不在が検出されたか否かを判定する（ステップＳ２０７）。
【００６６】
ノイズチェック報知画面の表示後、人検出部１０５によって人の不在が検出されると（ステップＳ２０７；ＹＥＳ）、感度変更部１０３Ａは、ノイズチェックを開始する（ステップＳ２０８）。ノイズチェックの開始後、感度変更部１０３Ａは、人検出部１０５によって人の存在が検出されたか否かを判定する（ステップＳ２０９）。人検出部１０５によって人の存在が検出された場合（ステップＳ２０９；ＹＥＳ）、感度変更部１０３Ａは、ノイズチェックを中断する（ステップＳ２１０）。また、通知部１０４Ａは、中断報知画面（図１７参照）をディスプレイ１０に表示する（ステップＳ２１１）。その後、タッチセンサ装置１Ａの処理は、ステップＳ２０７に戻る。
【００６７】
一方、人検出部１０５によって人の存在が検出されていない場合であって（ステップＳ２０９；ＮＯ）、ノイズが検出されず（ステップＳ２１２；ＮＯ）、ノイズチェックの開始時からの経過時間がノイズチェック時間に達した場合（ステップＳ２１３；ＹＥＳ）、感度変更部１０３Ａは、ノイズチェックを終了する（ステップＳ２１４）。また、通知部１０４Ａは、変更完了画面をディスプレイ１０に表示して（ステップＳ２０５）、検出感度の変更が完了したことをユーザに通知する。これにより感度変更処理は終了する。
【００６８】
ノイズが検出されず（ステップＳ２１２；ＮＯ）、ノイズチェックの開始時からの経過時間がノイズチェック時間に達していない場合（ステップＳ２１３；ＮＯ）、タッチセンサ装置１Ａの処理は、ステップＳ２０９に戻る。
【００６９】
ノイズが検出された場合（ステップＳ２１２；ＹＥＳ）、感度変更部１０３Ａは、ノイズチェックを終了し（図１９のステップＳ２１５）、検出感度を変更前の感度に戻す（ステップＳ２１６）。また、通知部１０４Ａは、ノイズ検出報知画面（図８参照）をディスプレイ１０に表示して（ステップＳ２１７）、ノイズが検出されたこと及び検出感度の変更ができないことをユーザに通知する。これにより感度変更処理は終了する。
【００７０】
以上説明したように、実施の形態２に係るタッチセンサ装置１Ａは、ユーザから検出感度を高くする変更指示を受けると、検出感度を当該変更指示に基づく感度に設定し、ノイズチェックを実行する。そして、ノイズが検出されると、タッチセンサ装置１Ａは、検出感度を変更前の感度に戻す。このため、ノイズの影響によりタッチ操作ができなくなる事態の発生を防止できる。
【００７１】
また、タッチセンサ装置１Ａは、検出感度の変更に関する情報をユーザに通知するため、ユーザは、検出感度の変更の状況を容易に把握できる。
【００７２】
さらに、タッチセンサ装置１Ａは、ノイズチェックを開始する前に、当該タッチセンサ装置１Ａの周囲の人の存否を検出し、人が居ない場合にノイズチェックを開始する。また、タッチセンサ装置１Ａは、ノイズチェック中に当該タッチセンサ装置１Ａの周囲に人が居る場合には、ノイズチェックを中断し、人が居なくなるとノイズチェックを再開する。これにより、ノイズチェック中にユーザがタッチパネル１１にタッチして、ノイズを誤検出してしまうことの防止がより一層図れる。
【００７３】
なお、感度変更部１０３Ａは、ユーザにより感度を高くする操作がされた場合、直ちに検出感度をユーザが指示した感度に設定するのではなく、人検出部１０５によって人の不在が検出された後（図１８のステップＳ２０７；ＹＥＳ）、ステップＳ２０８でノイズチェックを開始する前に検出感度をユーザが指示した感度に設定してもよい。
【００７４】
また、ノイズチェック中に人検出部１０５によって人の存在が検出された場合（ステップＳ２０９；ＹＥＳ）、感度変更部１０３Ａは、ノイズチェックを終了し、検出感度を変更前の感度に戻す仕様であってもよい。この場合、通知部１０４Ａは、図２０に示すようなノイズチェック中止画面をディスプレイ１０に表示して、人の検出によりノイズチェックができないことをユーザに通知してもよい。
【００７５】
また、実施の形態１の変形例は、実施の形態２にも適用可能である。
【００７６】
本発明は、上記の実施の形態１，２に限定されず、本発明の要旨を逸脱しない範囲での種々の変更は勿論可能である。
【００７７】
例えば、他の実施の形態に係るタッチセンサ装置では、ユーザが、検出感度を低くする変更を指示した場合であっても、ノイズチェックを実行してもよい。このようにすると、例えば、工場内の特定設備の稼働等を起因としたノイズによってタッチ操作ができなくなる事態を回避することが可能となる。
【００７８】
また、他の実施の形態に係るタッチセンサ装置では、ノイズチェックにおいてノイズを検出した場合、検出感度を変更直前の感度ではなく最も低い感度に設定してもよい。
【００７９】
また、上記の実施の形態１，２では、タッチセンサ装置１，１Ａのプロセッサ１２によって二次記憶装置１５に記憶されている、タッチセンサ装置１，１Ａの動作に係るプログラムが実行されることで、タッチセンサ装置１，１Ａの機能部（図２、図１５参照）が実現された。
【００８０】
しかし、タッチセンサ装置１，１Ａの機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせである。
【００８１】
また、上記のプログラムは、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ（Hard Disk Drive）等のコンピュータ読み取り可能な記録媒体に格納して配布することも可能である。そして、当該プログラムを特定の又は汎用のコンピュータにインストールすることによって、当該コンピュータを上記の実施の形態１，２におけるタッチセンサ装置１，１Ａとして機能させることも可能である。
【００８２】
また、上記のプログラムをインターネット上の図示しないサーバが有する記憶装置に格納しておき、当該サーバからタッチセンサ装置１，１Ａに当該プログラムがダウンロードされるようにしてもよい。
【００８３】
本発明は、広義の精神と範囲を逸脱することなく、様々な実施の形態及び変形が可能である。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【００８４】
本発明は、タッチセンサを備える装置に好適に採用され得る。
【符号の説明】
【００８５】
１，１Ａ  タッチセンサ装置、１０  ディスプレイ、１１  タッチパネル、１２  プロセッサ、１３  ＲＯＭ、１４  ＲＡＭ、１５  二次記憶装置、１６  バス、１７  環境センサ、１００  タッチ位置検出部、１０１  操作処理部、１０２  変更指示受付部、１０３，１０３Ａ  感度変更部、１０４，１０４Ａ  通知部、１０５  人検出部
【図１】
2020113305.tif 000003
【図２】
2020113305.tif 000004
【図３】
2020113305.tif 000005
【図４】
2020113305.tif 000006
【図５】
2020113305.tif 000007
【図６】
2020113305.tif 000008
【図７】
2020113305.tif 000009
【図８】
2020113305.tif 000010
【図９】
2020113305.tif 000011
【図１０】
2020113305.tif 000012
【図１１】
2020113305.tif 000013
【図１２】
2020113305.tif 000014
【図１３】
2020113305.tif 000015
【図１４】
2020113305.tif 000016
【図１５】
2020113305.tif 000017
【図１６】
2020113305.tif 000018
【図１７】
2020113305.tif 000019
【図１８】
2020113305.tif 000020
【図１９】
2020113305.tif 000021
【図２０】
2020113305.tif 000022